(57)【特許請求の範囲】
【請求項１】
蓋体が着脱自在に取り付けられ、前記蓋体によって開口が覆われる樹脂製の容器本体であって、
底面部と、
前記底面部の周縁から上方に立設された側面部と、
前記側面部から外部に向けて延出した鍔部と、
前記鍔部から立設され、前記側面部の上方で前記開口の辺縁を形成する四角枠状の立上側壁とを備え、
前記立上側壁の四隅には、前記蓋体に設けられた蓋体側係合部と係脱する本体側係合部が設けられ、
前記側面部は、
前記開口を挟んで対向しかつ外側から把持される側の一対の把持側面部と、
前記開口を挟みかつ前記把持側面部に対して角度をなして対向する一対の非把持側面部とを備え、
前記把持側面部は、内側に窪んだ曲面部を備え、
前記曲面部の位置における前記鍔部の延出方向の幅は、前記曲面部が設けられていない位置の前記鍔部の幅よりも幅広とされていることを特徴とする容器本体。
【請求項２】
請求項１に記載の容器本体において、
前記曲面部は、前記把持側面部の上端から下端にかけて設けられていることを特徴とする容器本体。
【発明の詳細な説明】
【技術分野】
【０００１】
本発明は、容器本体に関する。
【背景技術】
【０００２】
従来、バターやマーガリン等の食品を収容する平面視四角形状の樹脂製容器が知られている。このような容器は、食品が充填される有底の容器本体と、容器本体の開口部の外周部に係脱して当該開口部を開閉可能な有天の蓋体とで構成される（例えば、特許文献１、２参照）。
【０００３】
容器本体および蓋体の係脱構造として、容器本体の外周部のコーナー部分には、外側に向けて突出した容器本体側の係合爪部が成形され、蓋体の内周部のコーナー部分には、内側に向けて突出した蓋体側の係合爪部が成形されることが一般的である。そのような係合爪部は、周方向に沿って所定の長さで設けられる。
【０００４】
蓋体を容器本体から外して開口部を開放する場合、容器本体の長辺側を把持しつつ、蓋体の長辺側を外側から把持し、容器本体ごと内側に力を加える。そうすると、蓋体の長辺側がゆがむと同時に短辺側が外側に広がるように変形し、蓋体のコーナー部分が容器本体のコーナー部分から外側に離間して、蓋体および容器本体の互いの係合爪部の係合が解除される。
【先行技術文献】
【特許文献】
【０００５】
【特許文献１】特許第５５４３７４９号公報
【特許文献２】特開２０１３−５２９１３号公報
【発明の概要】
【発明が解決しようとする課題】
【０００６】
しかしながら、特許文献１、２に記載されたような従来の容器は、バターやマーガリン等の比較的硬い固形物を容器本体に収納すると、容器本体から蓋体を外す動作において、容器本体を内側にゆがませるために強い力が必要になってしまい、容器本体から蓋体を外すことが困難となる場合があった。
【０００７】
本発明の目的は、蓋体を容易に外すことができる容器本体を提供することにある。
【課題を解決するための手段】
【０００８】
本発明の容器本体は、蓋体が着脱自在に取り付けられ、前記蓋体によって開口が覆われる樹脂製の容器本体であって、底面部と、前記底面部の周縁から上方に立設された側面部と、前記側面部から外部に向けて延出した鍔部と、前記鍔部から立設され、前記側面部の上方で前記開口の辺縁を形成する四角枠状の立上側壁とを備え、前記立上側壁の四隅には、前記蓋体に設けられた蓋体側係合部と係脱する本体側係合部が設けられ、前記側面部は、前記開口を挟んで対向しかつ外側から把持される側の一対の把持側面部と、前記開口を挟みかつ前記把持側面部に対して角度をなして対向する一対の非把持側面部とを備え、前記把持側面部は、内側に窪んだ曲面部を備えていることを特徴とする。
【０００９】
本発明によれば、容器本体の把持側面部が内側に窪んだ曲面部を備えているため、この部分の鍔部を延設方向に幅広にすることができ、鍔部の曲げ剛性を低くすることができる。このため、蓋体を外す際に立上側壁よりも弱い力で鍔部がゆがむことになり、容器本体を弱い力で内側にゆがませることができるので、蓋体を容易に外すことができる。
【００１０】
本発明の容器本体において、前記曲面部は、前記把持側面部の上端から下端にかけて設けられていることが好ましい。
【００１１】
本発明によれば、曲面部が把持側面部の上端から下端にかけて設けられているため、当該把持側面部を底面部側から把持する際に、容易に把持することができる。
【図面の簡単な説明】
【００１２】
【図１】本発明の一実施形態に係る容器の全体を示す分解斜視図。
【図２】容器本体の底面図。
【図３】容器本体の側面図。
【図４】図３のIV−IV断面図。
【図５】本発明の変形例に係る容器本体の底面図。
【発明を実施するための形態】
【００１３】
以下、図面に基づいて本発明の一実施形態について説明する。
図１は、本実施形態に係る容器１の全体を示す分解斜視図である。図２〜図４は、容器本体２の底面図、側面図、および断面図である。
【００１４】
［容器］
図１において、容器１は、例えばバターやマーガリンなどの食品を収容するものであり、樹脂の射出成型品である。容器１は、上部に開口２Ａが形成された有底の容器本体２と、容器本体２に着脱自在に取り付けられ、開口２Ａを覆う有天の蓋体３とを備えている。
【００１５】
［容器本体］
容器本体２は、図２〜図４にも示すように、底面部２１と、底面部２１の周縁から上方に立設された側面部２２と、側面部２２の上端縁に周方向に連続して設けられ、当該上端縁から外部に向けて水平に延出した鍔部としての第１鍔部２３と、第１鍔部２３の先端縁から上下方向に立設され、開口２Ａの辺縁を形成する略四角枠状の立上側壁２４と、立上側壁２４の下端縁に周方向に連続して設けられ、当該下端縁から外部に向けて水平に延出した第２鍔部２５とを備えている。
【００１６】
側面部２２は、平面視にて略長方形枠状とされている。側面部２２は、開口２Ａを挟んで対向しかつ外側から把持される側の一対の把持側面部としての長辺側面部２２Ａと、開口２Ａを挟みかつ長辺側面部２２Ａに対して略直角をなして対向する一対の非把持側面部としての短辺側面部２２Ｂとを備えている。
長辺側面部２２Ａは、内側に窪んだ曲面部２２Ｃを備えている。曲面部２２Ｃは、長辺側面部２２Ａの周方向の略中央部に設けられ、周方向に沿って内側に凸の湾曲面形状とされている。すなわち、曲面部２２Ｃは、横断面視で周方向に沿って内側に凸状の湾曲形状を有し、当該湾曲形状が長辺側面部２２Ａの上端から下端（第１鍔部２３から底面部２１）にかけて形成されている。
【００１７】
立上側壁２４は、平面視にて略長方形枠状とされている。この立上側壁２４は、四隅に設けられた円弧状の本体側角部２４Ａと、開口２Ａを挟んで対向しかつ外側から把持される側の一対の本体側長辺部２４Ｂと、開口２Ａを挟みかつ本体側長辺部２４Ｂに対して略直角をなして対向する一対の本体側短辺部２４Ｃとを備えている。
本体側角部２４Ａは、外側に突出するとともに、周方向に所定の長さを有した１条の本体側係合部２４Ｄを備えている。この本体側係合部２４Ｄは、成型により設けられている。
【００１８】
第２鍔部２５は、本体側角部２４Ａ、本体側長辺部２４Ｂ、および本体側短辺部２４Ｃにわたって連続して設けられている。このような第２鍔部２５は、蓋体３を支持する部位である。図１では、第２鍔部２５は、本体側短辺部２４Ｃおよびその両側の本体側角部２４Ａにかけては大きく延設され、本体側長辺部２４Ｂに対応した位置では蓋体３の厚さ程度に小さく延設されて描かれているが、例えば周方向に沿って略同じ延設長さで形成される場合もある。
【００１９】
［蓋体］
蓋体３は、天面部３１と、天面部３１の周縁から下方に垂設された略四角枠状の側面部３２と、側面部３２の下端縁に周方向に連続して設けられ、当該下端縁から外部に向けて水平に僅かに延出した第１鍔部３３と、第１鍔部３３の先端縁から垂下され、容器本体２への取付時に立上側壁２４の外側に位置する略四角枠状の垂下側壁３４と、垂下側壁３４の下端縁に周方向に連続して設けられ、当該下端縁から外部に向けて水平に僅かに延出した第２鍔部３５とを備えている。
【００２０】
垂下側壁３４は、平面視にて略長方形枠状とされている。この垂下側壁３４は、四隅に設けられた円弧状の蓋体側角部３４Ａと、容器本体２の開口２Ａを挟んで対向しかつ外側から把持される側の一対の把持側辺部としての蓋体側長辺部３４Ｂと、開口２Ａを挟みかつ蓋体側長辺部３４Ｂに対して略直角をなして対向する一対の非把持側辺部としての蓋体側短辺部３４Ｃとを備えている。
蓋体側角部３４Ａは、内側に突出するとともに、周方向に所定の長さを有して本体側係合部２４Ｄと係脱する１条の蓋体側係合部３４Ｄを備えている。この蓋体側係合部３４Ｄは、成型により設けられている。
【００２１】
第２鍔部３５は、蓋体側角部３４Ａ、蓋体側長辺部３４Ｂ、および蓋体側短辺部３４Ｃにわたて連続して設けられている。このような第２鍔部３５が容器本体２の第２鍔部２５に当接され、蓋体３が支持される。
【００２２】
［蓋体の取り外し］
蓋体３を容器本体２から外して開口２Ａを開放する場合、蓋体３の対向する蓋体側長辺部３４Ｂを外側から把持し、蓋体３を内側にゆがませて変形させる（図１中の白抜き矢印および２点鎖線参照）。この際、蓋体３に加えた力は、蓋体側長辺部３４Ｂから蓋体側短辺部３４Ｃに伝えられる。そうすると、容器本体２の第１鍔部２３の長辺側が内側にゆがみ、蓋体３の蓋体側短辺部３４Ｃが外側に広がるようにゆがむ。このため、蓋体３の蓋体側角部３４Ａが容器本体２の本体側角部２４Ａから外側に離間し、蓋体３および容器本体２の互いの係合部２４Ｄ、３４Ｄの係合が解除され、蓋体３が容器本体２から外れる。
【００２３】
［実施形態の効果］
本実施形態によれば、容器本体２の長辺側面部２２Ａが内側に窪んだ曲面部２２Ｃを備えているため、この部分の第１鍔部２３を延設方向に幅広にすることができ、第１鍔部２３の曲げ剛性を低下させることができる。このため、蓋体３を外す際に立上側壁２４よりも弱い力で第１鍔部２３がゆがむことになり、容器本体２を弱い力で内側にゆがませることができるので、蓋体３を容易に外すことができる。
また、容器本体２の長辺側面部２２Ａが曲面部２２Ｃを備えているため、容器本体２を曲面部２２Ｃで容易に把持することができる。
【００２４】
また、曲面部２２Ｃが長辺側面部２２Ａの上端から下端にかけて設けられているため、当該長辺側面部２２Ａを底面部２１側から把持する際に、容易に把持することができる。
【００２５】
［変形例］
本発明は、前記実施形態に限定されるものではなく、本発明の目的を達成できる範囲での変更等は、本発明に含まれる。
例えば、容器本体２は、複数の曲面部２２Ｃを備えてもよい。この場合、曲面部２２Ｃは、図５に示すように、長辺側面部２２Ａの中央部を挟んだ両側に設けられてもよい。また、曲面部２２Ｃは、側面部２２に３つ以上設けられてもよい。
【００２６】
本体側係合部２４Ｄや蓋体側係合部３４Ｄは、本体側角部２４Ａや蓋体側角部３４Ａに複数設けられていてもよい。
【００２７】
側面部２２、立上側壁２４、垂下側壁３４は、平面視で長方形枠状ではなく、正方形枠状であってもよい。また、長方形枠状とされた場合でも、把持される側を短辺側面部２２Ｂ、本体側短辺部２４Ｃ、蓋体側短辺部３４Ｃとし、非把持側を長辺側面部２２Ａ、本体側長辺部２４Ｂ、蓋体側長辺部３４Ｂとしてもよい。
【００２８】
本発明は、バターやマーガリン等の食品を収容する容器として好適に利用できる。
【符号の説明】
【００２９】
１…容器、２…容器本体、２Ａ…開口、３…蓋体、２１…底面部、２２…側面部、２２Ａ…長辺側面部（把持側面部）、２２Ｂ…短辺側面部（非把持側面部）、２２Ｃ…曲面部、２３…第１鍔部（鍔部）、２４…立上側壁、２４Ｄ…本体側係合部、３４…垂下側壁、３４Ａ…蓋体側角部、３４Ｂ…蓋体側長辺部、３４Ｃ…蓋体側短辺部、３４Ｄ…蓋体側係合部。
【図１】
0006715058.tif 000002
【図２】
0006715058.tif 000003
【図３】
0006715058.tif 000004
【図４】
0006715058.tif 000005
【図５】
0006715058.tif 000006